(57)【要約】【課題】複数のパネル材により構成された壁体に開口部を確保し易い外壁構造を提供する。【解決手段】外壁構造は、複数のパネル材３０が上下方向及び横方向に間隔を空けて配置されると共に、互いに接するパネル材３０同士は、一方の前記パネル材３０Ａの上端面と他方の前記パネル材３０Ｆの下端面とが上下方向へ繋がるように接して配置された壁体２０と、上端面と下端面とを連結する連結部材５０と、を備え、前記パネル材３０は、梁形及び柱形を備えない。【選択図】図２
2020020231.tif 000002
【特許請求の範囲】
【請求項１】
複数のパネル材が上下方向及び横方向に間隔を空けて配置されると共に、互いに接する前記パネル材同士は、一方の前記パネル材の上端面と他方の前記パネル材の下端面とが上下方向へ繋がるように接して配置された壁体と、
前記上端面と前記下端面とを連結する連結部材と、
を備え、
前記パネル材は、梁形及び柱形を備えない、外壁構造。
【請求項２】
前記連結部材は、互いに接する前記パネル材に跨って配置されると共に、前記パネル材同士の接触面から見てそれぞれの前記パネル材の面内方向に向って突出した突出部を備えたシアプレートである、請求項１に記載の外壁構造。
【請求項３】
前記シアプレートは、前記パネル材と一体的に成形されると共に前記パネル材の前記下端面から突出し、下方に配置された前記パネル材の前記上端面に形成された挿入孔へ充填されたグラウト材に埋設されている、請求項２に記載の外壁構造。
【発明の詳細な説明】
【技術分野】
【０００１】
本発明は、外壁構造に関する。
【背景技術】
【０００２】
下記特許文献１には、建物の外側構面を、壁式ラーメン構造の壁柱及び壁梁によって構成した建物構造が示されている。
【先行技術文献】
【特許文献】
【０００３】
【特許文献１】特開平９−２６４０５０号公報
【発明の概要】
【発明が解決しようとする課題】
【０００４】
上記特許文献１に開示された建物構造のような柱部材及び梁部材で構成された外殻架構に対して、柱形及び梁形を有さないパネル材を組み合わせた外殻架構も知られている。しかし、パネル材で構成した外殻架構には、構造上、広い開口部を確保することが難しい。
【０００５】
本発明は上記事実を考慮して、複数のパネル材により構成された壁体に開口部を確保し易い外壁構造を提供することを目的とする。
【課題を解決するための手段】
【０００６】
請求項１の外壁構造は、複数のパネル材が上下方向及び横方向に間隔を空けて配置されると共に、互いに接する前記パネル材同士は、一方の前記パネル材の上端面と他方の前記パネル材の下端面とが上下方向へ繋がるように接して配置された壁体と、前記上端面と前記下端面とを連結する連結部材と、を備え、前記パネル材は、梁形及び柱形を備えていない。
【０００７】
請求項１の外壁構造では、パネル材が上下方向及び横方向に間隔を空けて配置され、互いに接するパネル材同士は、連結部材によって、一方のパネル材の上端面と他方のパネル材の下端面とが接した状態で連結されている。これにより、壁体に開口部が千鳥状に配置される。
【０００８】
また、パネル材に作用する鉛直荷重はパネル材同士の支圧によって、水平荷重は連結部材によって、接するパネルへ伝達することができる。このように、請求項１の外壁構造では、複数のパネル材により構成された壁体において荷重を伝達しつつ、広い開口部を確保できる。
【０００９】
請求項２の外壁構造は、前記連結部材は、互いに接する前記パネル材に跨って配置されると共に、前記パネル材同士の接触面から見てそれぞれの前記パネル材の面内方向に向って突出した突出部を備えたシアプレートである。
【００１０】
請求項２の外壁構造では、互いに接するパネルに跨ってシアプレートが設けられている。これにより一方のパネル材に作用する水平力を、シアプレートのせん断耐力によって他方のパネル材へ伝達することができる。
【００１１】
また、シアプレートはパネル材同士の接触面からパネル材の面内方向に向って突出した突出部を備えているため、突出部を備えていない場合と比較してせん断耐力が大きく、上下のパネルの接触面を小さくすることができる。これにより、横方向のパネルの隣接間隔を広くして開口部を大きくすることができる。
【００１２】
請求項３の外壁構造は、前記シアプレートは、前記パネル材と一体的に成形されると共に前記パネル材の前記下端面から突出し、下方に配置された前記パネル材の前記上端面に形成された挿入孔へ充填されたグラウト材に埋設されている。
【００１３】
請求項３の外壁構造では、パネル材がシアプレートと一体的に形成されている。パネル材を組付ける際は、パネル材の上端面に形成された挿入孔へ、上方に配置されるパネル材の下端面から突出したシアプレートを挿入する。これによりシアプレートがガイドとなってパネル材が所定の位置に配置される。また、シアプレートは挿入孔へグラウト材を注入することで下方のパネル材と連結される。このように、請求項３の外壁構造におけるパネル材は、シアプレートがパネル材と別々に成形されている場合と比較して、施工が容易である。
【発明の効果】
【００１４】
本発明に係る外壁構造によると、複数のパネル材により構成された壁体に開口部を確保し易い。
【図面の簡単な説明】
【００１５】
【図１】（Ａ）は本発明の実施形態に係る外壁構造が適用された建物の一例を示す平面図であり、（Ｂ）は本発明の実施形態に係る外壁構造が適用された建物の壁体を示す部分拡大立面図である。
【図２】（Ａ）は本発明の実施形態に係る外壁構造においてパネル材を連結して壁体を形成した状態を示す部分断面図であり、（Ｂ）は（Ａ）のＢ−Ｂ線断面図であり、（Ｃ）はシアプレートを示す斜視図である。
【図３】（Ａ）は本発明の実施形態に係る外壁構造においてパネル材を連結している状態を示す側面図であり、（Ｂ）は（Ａ）のＢ−Ｂ線断面図であり、（Ｃ）は（Ａ）のＣ−Ｃ線断面図である。
【図４】本発明の実施形態に係る外壁構造が適用された壁体に梁およびスラブを接合した状態を示す部分拡大立面図である。
【図５】本発明の実施形態に係る外壁構造において連結部材としてコッターを用いた変形例を示す部分拡大立面図である。
【発明を実施するための形態】
【００１６】
（平面構成）
図１（Ａ）には、本発明の実施形態に係る外壁構造が適用された建物１０の平面図が示されている。建物１０は平面形状が矩形状とされ、外周に沿って配置された外壁１２の全ての部分（矩形状の４辺の全て）に、本発明の実施形態に係る外壁構造が適用された、チューブ構造の建物である。
【００１７】
外壁１２においては、壁材であるパネル材３０と、サッシ（窓ガラス）が嵌め込まれた開口部４０とが交互に配置されている。パネル材３０と開口部４０の高さは略同一とされている。また、パネル材３０は外側面と内側面が何れも平坦面とされ、柱形や梁形を備えていない。なお、開口部４０は、サッシ（窓ガラス）が嵌め込まれない開口だけのものであってもよい。
【００１８】
（立面構成）
図１（Ｂ）には、外壁１２の正面図（立面図）が示されている。外壁１２は、複数のパネル材３０を後述するシアプレート５０（図２（Ａ）参照）によって組付けて形成された壁体２０によって形成されている。壁体２０においては、複数のパネル材３０が、上下方向（Ｚ方向）及び横方向（Ｘ方向）に間隔を空けて配置されている。
【００１９】
具体的には、図１（Ｂ）に示すパネル材３０Ａの横方向の両側には、それぞれ間隔を空けてパネル材３０Ｂ、３０Ｃが設置されている。また、パネル材３０Ａの上下方向の両側には、それぞれ間隔を空けてパネル材３０Ｄ、３０Ｅが設置されている。
【００２０】
また、壁体２０においては、互いに接するパネル材３０同士は、一方のパネル材の上端面と他方のパネル材の下端面とが上下方向へ繋がるように接して配置されている。
【００２１】
具体的には、パネル材３０Ａの上端面３２の左側は、パネル材３０Ｆの下端面３４の右側と接している。同様に、パネル材３０Ａの上端面３２の右側は、パネル材３０Ｈの下端面３４の左側と接している。この状態で、パネル材３０Ａはパネル材３０Ｆ、３０Ｈと略面一に配置され、上下方向に繋がった構成とされている。
【００２２】
また、パネル材３０Ａの下端面３４の左側は、パネル材３０Ｇの上端面３２の右側と接している。同様に、パネル材３０Ａの下端面３４の右側は、パネル材３０Ｉの上端面３２の左側と接している。この状態で、パネル材３０Ａはパネル材３０Ｇ、３０Ｉと略面一に配置され、上下方向に繋がった構成とされている。
【００２３】
以上の構成により、パネル材３０Ａ、３０Ｂ、３０Ｆ、３０Ｇに囲まれた部分には、開口部４０Ｂが形成されている。同様に、パネル材３０Ａ、３０Ｃ、３０Ｈ、３０Ｉに囲まれた部分には、開口部４０Ｃが形成されている。さらに、パネル材３０Ａ、３０Ｄ、３０Ｆ、３０Ｈに囲まれた部分には、開口部４０Ｄが形成されている。またさらに、パネル材３０Ａ、３０Ｅ、３０Ｇ、３０Ｉに囲まれた部分には、開口部４０Ｅが形成されている。
【００２４】
このように、複数のパネル材３０が上下方向（Ｚ方向）及び横方向（Ｘ方向）に間隔を空けて配置される一方で、互いに接するパネル材３０同士の上端面３２と下端面３４とが接して配置されて開口部４０が形成されたパターンが、横方向及び上下方向に沿って繰り返されて、壁体２０が形成されている。
【００２５】
なお、パネル材３０は、パネル材３０Ａ、３０Ｂ、３０Ｃ、３０Ｄ、３０Ｅ、３０Ｆ、３０Ｇ、３０Ｈ、３０Ｉの総称であり、本明細書において特に区別して表現する必要がない場合はそれぞれパネル材３０と表記する。同様に、開口部４０は、開口部４０Ｂ、４０Ｃ、４０Ｄ、４０Ｅの総称であり、本明細書において特に区別して表現する必要がない場合はそれぞれ開口部４０と表記する。
【００２６】
（連結構造）
図２（Ａ）には、パネル材３０を組付けて構成した壁体２０の部分拡大図が示されている。図２（Ａ）においては、パネル材３０Ａの内部構造を実線で示している。また、パネル材３０Ａと接して配置されたパネル材３０Ｆ、３０Ｇ、３０Ｈ、３０Ｉの内部構造のうち、これらのパネル材とパネル材３０Ａとを連結するための構成を実線で示している。
【００２７】
（シアプレート）
パネル材３０Ａとパネル材３０Ｆとは、パネル材３０Ａの左側上端面３２Ｌとパネル材３０Ｆの右側下端面３４Ｒとが接して配置されている。さらに、パネル材３０Ａの左側上端面３２Ｌとパネル材３０Ｆの右側下端面３４Ｒとが接する部分には、パネル材３０Ａとパネル材３０Ｆに跨ってシアプレート５０が配置されている。シアプレート５０は、パネル材３０Ａ及びパネル材３０Ｆの内部に埋設されており、外部に露出していない。
【００２８】
シアプレート５０は、図２（Ｃ）に示すように、本体プレート５２と、本体プレート５２の両面に、Ｙ方向に沿って突出するように溶接された複数のアンカー５４と、を備えている。本体プレート５２は、「Ｚ型（鉤型）」に形成され上下方向（Ｚ方向）に沿って延設された中央部５２Ａと、中央部５２Ａの上端寄りに形成され、幅方向（Ｘ方向）へ突出した突出部５２Ｂと、中央部５２Ａの下端寄りに形成され、幅方向（Ｘ方向）、かつ、突出部５２Ｂと反対側へ突出した突出部５２Ｃと、を備えている。アンカー５４は、中央部５２Ａ、突出部５２Ｂ及び突出部５２Ｃの何れにも溶接されている。
【００２９】
シアプレート５０は、図２（Ａ）に示すように、パネル材３０Ａ、３０Ｆに埋設された状態においては、中央部５２Ａが、パネル材３０Ａの左側上端面３２Ｌ及びパネル材３０Ｆの右側下端面３４Ｒに跨って配置され、突出部５２Ｂがパネル材３０Ｆの面内方向に沿って横向きに突出するように配置される。また、突出部５２Ｃがパネル材３０Ａの面内方向に沿って横向きに突出するように配置される。
【００３０】
同様に、パネル材３０Ａの右側上端面３２Ｒとパネル材３０Ｈの左側下端面３４Ｌとが接する部分には、パネル材３０Ａとパネル材３０Ｈに跨ってシアプレート５０が配置されている。また、パネル材３０Ａの左側下端面３４Ｌとパネル材３０Ｇの右側上端面３２Ｒとが接する部分には、パネル材３０Ａとパネル材３０Ｇに跨ってシアプレート５０が配置されている。さらに、パネル材３０Ａの右側下端面３４Ｒとパネル材３０Ｉの左側上端面３２Ｌとが接する部分には、パネル材３０Ａとパネル材３０Ｉに跨ってシアプレート５０が配置されている。
【００３１】
シアプレート５０は、図３（Ｃ）に示すように、プレキャストコンクリート製のパネル材３０と一体的に成形されており、パネル材３０の左側下端面３４Ｌ及び右側下端面３４Ｒから下向きに突出している。また、パネル材３０の左側上端面３２Ｌ、右側上端面３２Ｒには、それぞれ挿入孔３６が形成されている。
【００３２】
上方のパネル材３０Ａの左側下端面３４Ｌから突出したシアプレート５０は、下方のパネル材３０Ｇの右側上端面３２Ｒの挿入孔３６へ挿入される。また、上方のパネル材３０Ａの右側下端面３４Ｒから突出したシアプレート５０は、下方のパネル材３０Ｉの左側上端面３２Ｌの挿入孔３６へ挿入される。
【００３３】
（通し鉄筋）
図２（Ａ）に示すように、パネル材３０Ｆ、３０Ａ、３０Ｇには通し鉄筋８０が通されている。同様に、パネル材３０Ｈ、３０Ａ、３０Ｉにも通し鉄筋８０が通されている。通し鉄筋８０は、複数枚のパネル材３０に亘って上下方向に配筋された連結部材である。
【００３４】
通し鉄筋８０は、図３（Ｂ）に示すように、パネル材３０の下端面に開口した機械式継手であるスリーブ８２と、下端部がスリーブ８２に挿入され上端部がパネル材３０の上端面から突出した縦筋８４と、を備えて形成されている。
【００３５】
具体的には、下方に設置されたパネル材３０（パネル材３０Ｇ、３０Ｉ）の上端面３２から突出した縦筋８４が、上方に設置されたパネル材３０（パネル材３０Ａ）の下端面３４に開口したスリーブ８２によって、上方に設置されたパネル材３０（パネル材３０Ａ）の縦筋８４と連結される。これにより通し鉄筋８０が形成される。
【００３６】
図２（Ｂ）に示すように、通し鉄筋８０はパネル材３０の幅方向における両端部のそれぞれにおいて、シアプレート５０の前後（パネル材３０における屋内側と屋外側）に配筋されている。また、パネル材３０の幅方向における両端部に配筋された通し鉄筋８０の間には、横方向に所定の間隔で縦筋８６が配筋されている。縦筋８６は、所定のかぶり厚を確保してパネル材３０の上端面から下端面に亘って配筋されている。
【００３７】
さらに、全ての通し鉄筋８０及び縦筋８６を取り囲むように、横筋８８がループ状に配筋されている。横筋８８は、図２（Ａ）に示すように、上下方向に沿って所定の間隔で配筋されている。
【００３８】
図３（Ａ）には、パネル材３０が側面視で示されている。パネル材３０同士を組付けるためには、下方のパネル材３０Ｇ、３０Ｉに、上方のパネル材３０Ａを載置する。このとき、図３（Ｂ）に示すように、上方のパネル材３０Ａのスリーブ８２に、下方のパネル材３０Ｇ、３０Ｉの縦筋８４を挿通する。同時に、上方のパネル材３０Ａのシアプレート５０を、下方のパネル材３０Ｇ、３０Ｉの挿入孔３６へ挿入する。パネル材３０Ｇ、３０Ｉにパネル材３０Ａを載置した後は、スリーブ８２及び挿入孔３６へグラウト材を充填する。
【００３９】
（内部架構）
図１（Ａ）に示すように、壁体２０を四周に配置して形成された外壁１２の内側には、架構６０が配置されている。架構６０は、柱６２と、柱６２及び壁体２０に架設された大梁６４と、大梁６４及び壁体２０に架設された小梁６６と、を備えている。
【００４０】
図４に示すように、大梁６４及び小梁６６は壁体２０と接合されている。具体的には、壁体２０を構成するパネル材３０にはアンカーボルト７２が埋め込まれており、このアンカーボルト７２によって、接合プレート７４がパネル材３０に固定されている。接合プレート７４には、大梁６４及び小梁６６がボルト接合されている。これにより、大梁６４及び小梁６６がパネル材３０に接合される。
【００４１】
また、パネル材３０には定着筋７６が埋設され、定着筋７６の端部はパネル材３０から突出している。この定着筋７６は、スラブ配筋１４Ａとスリーブ７８によって接合されている。大梁６４及び小梁６６の上方にはコンクリートが打設され、スラブ１４が形成されている。
【００４２】
なお、アンカーボルト７２及び定着筋７６は、全てのパネル材３０に埋設する必要はない。つまり、アンカーボルト７２は大梁６４又は小梁６６が接合されるパネル材３０のみに埋設すればよく、定着筋７６はスラブ１４が接合されるパネル材３０のみに埋設すればよい。
【００４３】
（作用・効果）
本発明の実施形態に係る外壁構造の壁体２０では、図１（Ｂ）に示すように、パネル材３０が上下方向に間隔を空けて配置されている（例えばパネル材３０Ａとパネル材３０Ｄ）。また、パネル材３０は、横方向に間隔を空けて配置されている（例えばパネル材３０Ａとパネル材３０Ｂ）。
【００４４】
互いに接するパネル材３０同士は、図２（Ａ）に示すように、シアプレート５０及び通し鉄筋８０によって、一方のパネル材３０の上端面（例えばパネル材３０Ａの左側上端面３２Ｌ）と他方のパネル材３０の下端面（例えばパネル材３０Ｆの右側下端面３４Ｒ）とが接した状態で連結されている。
【００４５】
また、壁体２０には、図２（Ａ）に示すように、上下方向に接するパネル材３０（例えばパネル材３０Ｆとパネル材３０Ａ）に跨ってシアプレート５０が設けられている。これにより一方のパネル材３０に作用する水平力を、シアプレート５０のせん断耐力によって他方のパネル材３０へ伝達することができる。
【００４６】
また、上下方向に接するパネル材３０（例えばパネル材３０Ｆとパネル材３０Ａ）には、通し鉄筋８０が通されている。これにより、上下方向に接するパネル材３０の間で引張力を伝達することができる。なお、圧縮力はパネル材３０同士の支圧力によって伝達することができる。
【００４７】
以上の構成により、図１（Ｂ）に示すように、複数のパネル材３０により構成された壁体において、耐力を確保しつつ、千鳥状に複数の開口部４０を形成することができる。
【００４８】
また、シアプレート５０はパネル材３０同士の接触面からパネル材３０の面内方向に向って突出した突出部５２Ｂ、５２Ｃ（図２（Ｃ）参照）を備えているため、突出部を備えていない場合と比較してせん断耐力が大きく、上下のパネル材３０の接触面を小さくすることができる。すなわち、図２（Ａ）に示した接触幅Ｗを、突出部を備えない場合より狭くすることができる。これにより、横方向のパネル材３０の隣接間隔を広くして、開口部４０を大きくすることができる。
【００４９】
また、図３（Ｃ）に示すように、パネル材３０は、シアプレート５０と一体的に形成されている。パネル材３０を組付ける際は、パネル材３０の左側上端面３２Ｌ、右側上端面３２Ｒに形成された挿入孔３６へ、上方に配置されるパネル材３０の右側下端面３４Ｒ、左側下端面３４Ｌから突出したシアプレート５０を挿入する。
【００５０】
これにより、シアプレート０がガイドとなってパネル材３０が所定の位置に配置される。また、シアプレート５０は挿入孔３６へグラウト材を注入することで下方のパネル材３０と連結される。このように、パネル材３０は、シアプレートと別々に成形されているパネル材と比較して、施工が容易である。
【００５１】
また、パネル材３０は、柱形を備えていない。換言すると、図２（Ｂ）に示すように、パネル材３０には柱のフープ筋が配筋されていない。柱のフープ筋はパネル材３０の幅方向の一部においてループ状に配筋されるが、パネル材３０における横筋８８は、所定のかぶり厚を確保しつつパネル材３０の幅方向に亘って配筋されている。また、柱形を備える場合、柱形以外の部分の厚み（Ｙ方向寸法）は柱形の厚みより小さいが、パネル材３０は横方向（Ｘ方向）に亘って厚みが略均一とされている。
【００５２】
また、パネル材３０は、梁形を備えていない。換言すると、図２（Ａ）に示すように、パネル材３０には梁のあばら筋が配筋されていない。梁のあばら筋はパネル材３０の上下方向の一部においてループ状に配筋されるが、パネル材３０における縦筋８６は、所定のかぶり厚を確保しつつパネル材３０の上下方向に亘って配筋されている。また、梁形を備える場合、梁形以外の部分の厚み（Ｙ方向寸法）は梁形の厚みより小さいが、パネル材３０は、図３（Ａ）に示すように、上下方向（Ｚ方向）に亘って厚みが略同一とされている。
【００５３】
このように、パネル材３０は柱形及び梁形を備えず、厚みが略均一とされている。このため柱形や梁形を備える構成と比較して、パネル材３０の内部の配筋が容易である。また、パネル材３０に凹凸が少ないため、パネル材３０を成形する型枠の施工が容易である。さらに、型枠に凹凸が少なければパネル材３０を形成するコンクリートが流動し易くなるため、完成品の品質がバラつき難い。
【００５４】
なお、本実施形態においては、複数枚のパネル材３０に亘って上下方向に通し鉄筋８０が配筋されているが、本発明の実施形態はこれに限らない。例えば縦筋８４はパネル材３０の内部で上下に分割してもよい。この場合、縦筋８４の端部にはフックや定着板を設けると好適である。但し、十分な定着長が確保できる場合はフックや定着板を設けなくてもよい。さらに、通し鉄筋８０は必ずしも設ける必要はない。通し鉄筋８０を設けなくてもシアプレート５０を介して上下のパネル材３０間で引張力を伝達することができる。
【００５５】
また、本実施形態においては、連結部材としてシアプレート５０を用いているが、本発明の実施形態はこれに限らない。例えば図５に示すパネル材９０のように、シアプレート５０に代えてコッター９６を用いてもよい。コッター９６は、例えば鋼材を用いて形成される。コッター９６は、パネル材９０（例えばパネル材９０Ａ）の左側上端面９２Ｌ、右側上端面９２Ｒに形成された挿入孔へ挿入され、上端部が突出している。
【００５６】
パネル材９０Ａの左側上端面９２Ｌに挿入されたコッター９６の上端部は、パネル材９０Ａの左側上方に配置されたパネル材９０Ｂの右側下端面９４Ｒに形成された挿入孔へ挿入されている。また、パネル材９０Ａの右側上端面９２Ｒに挿入されたコッター９６の上端部は、パネル材９０Ａの右側上方に配置されたパネル材９０Ｃの右側下端面９４Ｌに形成された挿入孔へ挿入されている。
【００５７】
なお、パネル材９０Ａの内部の配筋については、パネル材３０と同様に、通し鉄筋８０、縦筋８６、横筋８８（図２参照）を適用することができる。又は、図５に示すように、パネル材９０Ａの内部で終端する傾斜鉄筋９８を配筋してもよい。傾斜鉄筋９８は、通し鉄筋８０を省略して用いてもよいし、通し鉄筋８０と併用してもよい。また、縦筋８６及び横筋８８は省略してもよい。図５においては、図示を簡略化するため縦筋８６及び横筋８８を省略している。
【００５８】
傾斜鉄筋９８は、互いに接するパネル材９０間において、互いの延長線に近接するように配置されている。「互いの延長線に近接するように」とは、例えばパネル材９０Ａの左側上端面９２Ｌから右側下端面９４Ｒに向かって配筋された複数の傾斜鉄筋９８の中心線ＣＬが、パネル材９０Ａの左上のパネル材９０Ｂにおいて左側上端面９２Ｌから右側下端面９４Ｒに向かって配筋された複数の傾斜鉄筋９８に挟まれる位置にあることをいう。
【００５９】
これにより壁体２０は、傾斜鉄筋９８に沿った斜め方向に、パネル材９０を形成するプレキャストコンクリートからなる圧縮ストラットを形成することができる。また、コッター９６により、上下のパネル材９０の間でせん断力を伝達できる。これにより、パネル材９０の間に開口部４０を形成しても、地震時に壁体２０に作用する水平力に耐えることができる。
【００６０】
このように、本発明における「連結部材」とは、互いに接するパネル材間に横方向のせん断力（水平荷重）が作用した場合に、このせん断力に抵抗して、パネル材間で応力を伝達できる機構のことを指す。このため、例えば図２（Ａ）に示す通し鉄筋８０が、引張力に加えて横方向のせん断力に抵抗することができる強度を備えていれば、シアプレート５０及びコッター９６の何れも配置しない構成とすることもできる。なお、シアプレート５０を配置しない場合、図３（Ｃ）に示す挿入孔３６を形成しなくてもよい。これによりパネル材３０の構成が単純になり製造が容易である。
【００６１】
また、本実施形態においては、図１（Ａ）に示すように、建物１０の外周に沿って配置された外壁１２の全ての部分（矩形状の４辺の全て）に、本発明の実施形態に係る外壁構造が適用されているが、本発明の実施形態はこれに限らない。例えば、外壁１２の一部、例えば矩形状の３辺、２辺、１辺のみに適用することができる。後述する第２実施形態においても同様である。このように、本発明は様々な態様で実施することができる。
【符号の説明】
【００６２】
２０      壁体
３０      パネル材
３２      上端面
３２Ｌ    左側上端面（上端面）
３２Ｒ    右側上端面（上端面）
３４      下端面
３４Ｌ    左側下端面（下端面）
３４Ｒ    右側下端面（下端面）
３６      挿入孔
４０      開口部
５０      シアプレート（連結部材）
５２Ｂ    突出部
５２Ｃ    突出部
８０      通し鉄筋（連結部材）
９０      パネル材
９２      上端面
９２Ｌ    左側上端面（上端面）
９２Ｒ    右側上端面（上端面）
９４      下端面
９４Ｌ    左側下端面（下端面）
９４Ｒ    右側下端面（下端面）
９６      コッター（連結部材）
【図１】
2020020231.tif 000003
【図２】
2020020231.tif 000004
【図３】
2020020231.tif 000005
【図４】
2020020231.tif 000006
【図５】
2020020231.tif 000007